【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
サプライチェーンをモデル化する方法であって、
需要源を識別するステップと、
供給源を識別するステップと、
予約を前記需要源および前記供給源とリンクさせるステップとを含む、方法。
【請求項２】
前記予約は、前記需要および／または供給源に関する情報を含み、前記方法は、前記需要源のステータスの変化に応じて、前記予約に含まれた前記情報を更新するステップをさらに含む、請求項１に記載の方法。
【請求項３】
サプライチェーンにおいて割当を管理する方法であって、
需要を識別するための手段と、
供給を識別するための手段と、
前記需要を前記供給とリンクさせるための手段とを含む、方法。
【請求項４】
競合が低減され、作業がスケジューリングされ、および／または、材料がスケジューリングされる、請求項３に記載の方法。
【請求項５】
需要と供給源とを結び付ける予約を含む、サプライチェーン予約システム。
【請求項６】
前記予約は前記需要および／または前記供給に関する情報を含み、前記情報は、前記需要および／または供給のステータスの変化に応じて更新される、請求項５に記載のサプライチェーン予約システム。
【請求項７】
サプライチェーンを管理するための方法であって、
ａ）  需要を識別するステップと、
ｂ）  前記需要のための供給の源を識別するステップと、
ｃ）  前記需要のための前記源として前記供給を予約するステップと、
ｄ）  前記供給が利用可能ではない場合に、前記供給を追加の需要にするステップと、
ｅ）  前記供給が利用可能ではない場合に、前記追加の需要について上述のｂおよびｃ
を実行するステップとを含む、方法。
【請求項８】
前記需要は２つ以上の供給を必要とし、前記需要によって必要とされる各追加の供給について上述のｂ、ｃ、ｄおよびｅを実行するステップをさらに含み、
１つ以上の競合する需要が存在し、前記競合する需要に優先順位をつけるステップをさらに含み、および／または
前記供給の１つ以上の源が存在し、前記源を選択するステップをさらに含む、請求項７に記載の方法。
【請求項９】
コンピュータにより実現されるサプライチェーン予約システムであって、
ａ）  分散コンピュータネットワークを介してサプライチェーントランザクションを受取るステップと、
ｂ）  前記トランザクションに対応する需要源を識別するステップと、
ｃ）  前記トランザクションに対応する供給源を識別するステップと、
ｄ）  予約を前記需要源および前記供給源とリンクさせるステップとを含む、コンピュータにより実現されるサプライチェーン予約システム。
【請求項１０】
分散コンピュータネットワークを介して前記トランザクションのステータスに関する情報を受取るステップと、
前記トランザクションのステータスに基づいて前記予約を更新するステップとをさらに含む、請求項９に記載のコンピュータにより実現されるサプライチェーン予約システム。
【請求項１１】
分散コンピュータネットワークを介して前記サプライチェーントランザクションの追跡可能性を提供するステップをさらに含む、請求項９に記載のコンピュータにより実現されるサプライチェーン予約システム。
【請求項１２】
前記分散コンピュータネットワークは、
１つ以上のユーザ装置と、
コンピュータ読み取り可能なメモリに結合されたプロセッサを含むサプライチェーン予約サーバとを含み、前記メモリは、実行時に前記サーバにステップａ、ｂ、ｃ、およびｄを実現させるコンピュータ読み取り可能な命令を含んでいる、請求項９に記載のコンピュータにより実現されるサプライチェーン予約システム。
【請求項１３】
コンピュータシステムによる実行時に、前記コンピュータシステムにサプライチェーンにおいて割当を管理するための方法を実現させる命令の１つ以上のシーケンスを有するコンピュータ読み取り可能な媒体であって、前記方法は、
サプライチェーントランザクションを受取るステップと、
前記トランザクションに対応する需要源を識別するステップと、
前記トランザクションに対応する供給源を識別するステップと、
予約を前記需要源および前記供給源とリンクさせるステップとを含む、コンピュータ読み取り可能な媒体。
【請求項１４】
前記トランザクションのステータスに関する情報を受取るステップと、
前記トランザクションのステータスに基づいて前記予約を更新するステップとをさらに含む、請求項１３に記載のコンピュータ読み取り可能な媒体。
【請求項１５】
前記サプライチェーントランザクションの追跡可能性を提供するステップをさらに含む、請求項１３に記載のコンピュータ読み取り可能な媒体。
【請求項１６】
１つ以上のユーザ装置を選択するステップと、
サーバを選択するステップと、
１つ以上のユーザ装置から前記サーバへサプライチェーントランザクションを送信するステップと、
前記サーバが前記トランザクションに対応する需要源を識別するステップと、
前記サーバが前記トランザクションに対応する供給源を識別するステップと、
前記サーバが予約を前記需要源および前記供給源とリンクさせるステップとを含む、方法。
【請求項１７】
ａ）  ユーザ装置によって送信された需要を識別するステップと、
ｂ）  サーバを用いて、前記需要のための供給の源を識別するステップと、
ｃ）  サーバを用いて、前記需要のための源として前記供給を予約するステップと、
ｄ）  前記供給が利用可能ではない場合に、サーバを用いて前記供給を追加の需要として識別するステップと、
ｅ）  前記供給が利用可能ではない場合に、前記追加の需要についてｂおよびｃを実行するステップとを含む、方法。
【請求項１８】
前記需要が２つ以上の供給を必要とする場合に、前記需要によって必要とされる各追加の供給について上述のｂ、ｃ、ｄおよびｅを実行するステップをさらに含む、請求項１７に記載の方法。
【請求項１９】
１つ以上の需要が存在する場合に、サーバを用いて需要に優先順位をつけるステップをさらに含む、請求項１７に記載の方法。
【請求項２０】
前記供給の１つ以上の源が存在する場合に、サーバを用いて前記源を選択するステップをさらに含む、請求項１７に記載の方法。
【請求項２１】
サプライチェーントランザクションを送信するよう動作可能な１つ以上のユーザ装置を提供するステップと、
前記トランザクションに対応する需要源を識別するよう動作可能であり、前記トランザクションに対応する供給源を識別するよう動作可能であり、かつ予約を前記需要源および前記供給源とリンクさせるよう動作可能なサーバを提供するステップとを含む、方法。
【請求項２２】
サプライチェーンを管理するための方法であって、
ａ）  第１の需要を受取るステップと、
ｂ）  前記第１の需要を満たすための第１の供給の第１の源を判断するステップと、
ｃ）  前記第１の源からの前記第１の供給を前記第１の需要とリンクさせる第１の予約を作成するステップとを含み、前記第１の予約は、前記第１の需要を満たすために前記第１の供給の調達をスケジューリングし、前記方法はさらに、
ｄ）  前記第１の供給が現在利用可能ではない場合に、前記第１の供給を第２の需要として識別するステップと、
ｅ）  前記第２の需要を満たすための第２の供給の第２の源を判断するステップと、
ｆ）  前記第２の源からの前記第２の供給を前記第２の需要とリンクさせる第２の予約を作成するステップとを含み、前記第２の予約は、前記第２の需要を満たすために前記第２の供給の調達をスケジューリングする、方法。
【請求項２３】
前記第１の需要は２つ以上の供給を必要とし、前記第１の需要によって必要とされる各追加の供給について上述のｂ、ｃ、ｄ、ｅおよびｆを実行するステップをさらに含む、請求項２２に記載の方法。
【請求項２４】
１つ以上の競合する需要が存在し、前記競合する需要に優先順位をつけるステップをさ
らに含む、請求項２２に記載の方法。
【請求項２５】
前記第１の供給の１つ以上の源が存在し、前記源を選択するステップをさらに含む、請求項２２に記載の方法。
【請求項２６】
コンピュータシステムによる実行時に、前記コンピュータシステムにサプライチェーンにおいて割当を管理するための方法を実現させる命令の１つ以上のシーケンスを有するコンピュータ読み取り可能な媒体であって、前記方法は、
サプライチェーントランザクションを受取るステップと、
前記サプライチェーントランザクションに対応する第１の需要を判断するステップと、
前記第１の需要を満たすための第１の供給の第１の源を判断するステップと、
前記第１の需要と前記第１の源からの前記第１の供給との間に第１の予約をリンクさせるステップとを含み、前記第１の予約は、前記第１の需要を満たすために前記第１の供給の調達をスケジューリングし、前記方法はさらに、
前記第１の供給が現在利用可能ではない場合に、前記第１の供給を第２の需要として識別するステップと、
前記第２の需要を満たすための第２の供給の第２の源を判断するステップと、
前記第２の需要と前記第２の源からの前記第２の供給との間に第２の予約をリンクさせるステップとを含み、前記第２の予約は、前記第２の需要を満たすために前記第２の供給の調達をスケジューリングする、コンピュータ読み取り可能な媒体。
【請求項２７】
前記方法は、
前記サプライチェーントランザクションのステータスに関する情報を受取るステップと、
前記サプライチェーントランザクションのステータスに基づいて前記第１の予約を更新するステップとをさらに含む、請求項２６に記載のコンピュータ読み取り可能な媒体。
【請求項２８】
前記方法は、前記サプライチェーントランザクションの追跡可能性を提供するステップをさらに含む、請求項２６に記載のコンピュータ読み取り可能な媒体。
【請求項２９】
前記第１の供給は第１の項目または第１のサービスを含み、
前記第２の供給は第２の項目または第２のサービスを含む、請求項２６に記載のコンピュータ読み取り可能な媒体。
【請求項３０】
前記第１の予約は、前記第１の需要に関する情報を含む、請求項２６に記載のコンピュータ読み取り可能な媒体。
【請求項３１】
前記方法は、前記第１の需要のステータスの変化に応じて、前記第１の予約に含まれた前記情報を更新するステップをさらに含む、請求項３０に記載のコンピュータ読み取り可能な媒体。
【請求項３２】
第１の予約は、前記第１の供給に関する情報を含む、請求項２６に記載のコンピュータ読み取り可能な媒体。
【請求項３３】
前記方法は、前記第１の供給のステータスの変化に応じて、前記第１の予約に含まれた前記情報を更新するステップをさらに含む、請求項３２に記載のコンピュータ読み取り可能な媒体。
【請求項３４】
前記第１の予約は、前記第１の供給についての競合を低減させる、請求項２６に記載のコンピュータ読み取り可能な媒体。
【請求項３５】
前記サプライチェーントランザクションのステータスに関する情報を受取るステップと、
前記サプライチェーントランザクションのステータスに基づいて前記第１の予約を更新するステップとをさらに含む、請求項２２に記載の方法。
【請求項３６】
前記第１の予約および前記第２の予約は、前記サプライチェーントランザクションの追跡可能性を提供する、請求項２２に記載の方法。
【請求項３７】
前記第１の供給は第１の項目または第１のサービスを含み、
前記第２の供給は第２の項目または第２のサービスを含む、請求項２２に記載の方法。
【請求項３８】
前記第１の予約は、前記第１の需要に関する情報を含む、請求項２２に記載の方法。
【請求項３９】
前記第１の需要のステータスの変化に応じて、前記第１の予約に含まれた前記情報を更新するステップをさらに含む、請求項３８に記載の方法。
【請求項４０】
前記第１の予約は、前記第１の供給に関する情報を含む、請求項３９に記載の方法。
【請求項４１】
前記第１の供給のステータスの変化に応じて、前記第１の予約に含まれた前記情報を更新するステップをさらに含む、請求項４０に記載の方法。